(57)【要約】【課題】新規な花弁の特性を有するシクラメンの新品種を提供する【解決手段】シクラメン・コウム（Ｃｙｃｌａｍｅｎ  ｃｏｕｍ）原種と、シクラメン・パーシカム（Ｃｙｃｌａｍｅｎ  ｐｅｒｓｉｃｕｍ）園芸品種との種間交雑種（Ａ）、およびシクラメン・ヘデリフォリウム（Ｃｙｃｌａｍｅｎ  ｈｅｄｅｒｉｆｏｌｉｕｍ）原種と、シクラメン・パーシカム（Ｃｙｃｌａｍｅｎ  ｐｅｒｓｉｃｕｍ）園芸品種との種間交雑種（Ｂ）を取得し、当該種間交雑種（Ａ）と（Ｂ）とを交配して得られた複数の個体をさらに交配して得られた個体の中から花弁の特性が安定したものを選抜する。このようにして得られたシクラメンの新品種は、肉厚の硬い花弁の表面に複数の突起を有し、すべての花弁が反転することなく反り返っていることを特徴とする。【選択図】図１
2019187253.tif 000002
【特許請求の範囲】
【請求項１】
シクラメン・コウム（Ｃｙｃｌａｍｅｎ  ｃｏｕｍ）原種と、シクラメン・パーシカム（Ｃｙｃｌａｍｅｎ  ｐｅｒｓｉｃｕｍ）  園芸品種との種間交雑種（Ａ）、およびシクラメン・ヘデリフォリウム（Ｃｙｃｌａｍｅｎ  ｈｅｄｅｒｉｆｏｌｉｕｍ）  原種と、シクラメン・パーシカム（Ｃｙｃｌａｍｅｎ  ｐｅｒｓｉｃｕｍ）  園芸品種との種間交雑種（Ｂ）をそれぞれ取得し、当該種間交雑種（Ａ）と（Ｂ）とを交配して得られた複数の個体をさらに交配して得られた個体の中から花弁の特性が安定したものを選抜して得られるシクラメン新品種であって、前記花弁の特性は、肉厚の硬い花弁の表面に複数の突起を有し、すべての花弁が反転することなく反り返っていることを特徴とするシクラメンの新品種。
【請求項２】
受領番号がＦＥＲＭ  ＡＰ−２２３６２である請求項１に記載のシクラメンの新品種。
【請求項３】
請求項１または２に記載のシクラメン新品種の個体および請求項１または２記載のシクラメン新品種の個体の後代個体からなる群より選択される２個体を交配して得られる後代個体。
【請求項４】
請求項１〜３のいずれか一項に記載のシクラメンと、他のシクラメン品種とを交配することを特徴とするシクラメンの育種方法。
【請求項５】
請求項１〜３のいずれか一項に記載のシクラメン、または該シクラメンと他のシクラメン品種と交配することにより得られるシクラメンの細胞、器官、組織、植物体、種子又は花粉細胞。
【発明の詳細な説明】
【技術分野】
【０００１】
本発明は、シクラメンの新品種に関し、より詳細には、花弁の特性が肉厚の硬い花弁の表面に複数の突起を有し、すべての花弁が反転することなく反り返っていることを特徴とするシクラメンの新品種に関する。
【背景技術】
【０００２】
シクラメン属（Ｃｙｃｌａｍｅｎ  ｓｐｐ．）はサクラソウ科に属し、塊茎を持つ植物である。ギリシャからトルコ、キプロス島、レバノンに至る地中海沿岸に分布しており、現在、約２０種類の野生種が山間部森林、岩の裂け目、傾斜面の半日陰の冷涼な環境に自生している。国内でシクラメンの鉢花として販売されている園芸品種シクラメンは、すべて野生種のシクラメン・パーシカム（Ｃｙｃｌａｍｅｎ  ｐｅｒｓｉｃｕｍ）から選抜、育種されてきたものである。一方、シクラメン・コウム（Ｃｙｃｌａｍｅｎ  ｃｏｕｍ）、およびシクラメン・ヘデリフォリウム（Ｃｙｃｌａｍｅｎ  ｈｅｄｅｒｉｆｏｌｉｕｍ）などの野生種も輸入され、我国においても販売されているが、これらの園芸品種および野生種のシクラメンが国内で自生化したとの報告はない。
【０００３】
シクラメンは、鉢もの類花卉の出荷数量において、洋ラン類、観葉植物と並ぶ国内の主要な園芸植物である。平成２８年産シクラメンの出荷数量は１７６０万鉢であり、長野県、愛知県、栃木県および茨城県の順で多く生産されている（農林水産省  大臣官房統計部生産流通消費統計課、平成２９年５月２３日公表）。収穫面積は１８８ｈａで北海道から本州、四国、九州（沖縄を除く）まで栽培されているが、通常、前年の１１月から１２月に播種、鉢替えを数回行い、需要期である翌年１１月から１２月の開花盛期に出荷する。冷涼な環境を好み、生育には、一般に１５〜２０℃が適する。３０℃以上になると生育の遅延、障害が出やすいため、我国の気象条件では、園芸品種は夏季の高温が最も問題である。夏季の栽培には極力温度を下げるとともに、強光による障害（葉焼け）を避けるため遮光（３０〜５０％）を行うことが一般化している。
【０００４】
シクラメンは塊茎を持つ多年草であり、花は単生である。塊茎頂部から長い柄を持った葉を群生させ、一般に開花前には葉の枚数は３０〜４０枚程度になる。花は、花弁数が５枚、がく片５枚、雄ずい５個、雌ずい１個の形態を示す。一般に「八重咲き」と呼ばれる花は、花弁の内側の雄しべや雌しべが並んでいる場所にさらに多くの花びらが並んで、花弁だけで花が構成されているように見える状態を指す。シクラメンにも自然突然変異で雄ずいが花弁化した八重咲きシクラメンがあるが、これらは雄ずいを持たないため花粉の形成および自殖による種子の形成が認められない。
【０００５】
シクラメンの花色は、赤、桃、白などの原色系の品種が普通であったが、近年、パステル調の色彩の品種が栽培されるようになってきた。花型では、ベルギーで花弁の縁が波打ちした特異な花型が発表され、さらに花弁が反転しないロココ咲きの品種も発表されている。シクラメンは、耐寒性が弱く耐暑性も弱いため、基本的には温室栽培、屋内鑑賞向け鉢花であるが、近年、「ガーデンシクラメン」と呼ばれている屋外栽培向けシクラメンが販売されている。これは、園芸品種シクラメンの中から比較的耐寒性の強い個体が選抜され、育種されたものであり、花型は小輪種が多い。
【０００６】
花弁の形態は、園芸植物の鑑賞性において重要な要素である。シクラメンについても、消費者の多様なニーズに対応するため、近年さまざまな品種改良が試みられている。しかしながら、園芸品種と交雑可能な野生種は、園芸品種の成立のもととなったシクラメン・パーシカム１種のみで、通常、園芸品種は、交雑不和合性のため近縁野生種との自然交雑は起こらないといわれている（例えば、非特許文献１参照）。このため、新規な花の形態を有するシクラメンを作出することを目的として、花の形態形成に関するＡＧ遺伝子を単離し、この遺伝子の発現を抑制することで、花弁数が増加した多弁咲きシクラメンを生産する方法が報告されている（特許文献１参照）。また、園芸品種と近縁野生種シクラメン・パーシカム（Ｃｙｃｌａｍｅｎ  ｐｅｒｓｉｃｕｍ  （２ｎ＝４８））以外の人為的交雑のため、胚珠培養法により園芸品種とシクラメン・ヘデリフォリウム（Ｃｙｃｌａｍｅｎ  ｈｅｄｅｒｉｆｏｌｉｕｍ  （２ｎ＝３４））またはシクラメン・プルプラセンス（Ｃｙｃｌａｍｅｎ  ｐｕｒｐｕｒａｓｃｅｎｓｅ  Ｍｉｌｌ．  （２ｎ＝３４））との間で種間雑種の作出に成功した例があるが、これらの人為的に交雑された種間雑種は、自殖による種子形成は認められない。
【先行技術文献】
【特許文献】
【０００７】
【特許文献１】特許第５７９４６９５号
【非特許文献】
【０００８】
【非特許文献１】Ｌｅｇｒｏ，  Ｒ．Ａ．Ｈ．  Ｔｈｅ  ｃｙｔｏｌｏｇｉｃａｌ  ｂａｃｋｇｒｏｕｎｄ  ｏｆ  Ｃｙｃｌａｍｅｎ  ｂｒｅｅｄｉｎｇ，  Ｍｅｄｅｄ．  Ｌａｎｄｂｏｕｗｈｏｇｅｓｃｈｏｏｌ，  Ｗａｇｅｎｉｎｇｅｎ  ５９，  １−５１，  １９５９
【発明の概要】
【発明が解決しようとする課題】
【０００９】
本発明は、新規な花弁の特性を有するシクラメンの新品種を提供することを目的とする。
【課題を解決するための手段】
【００１０】
本発明者らは上記の事情に鑑み，シクラメン原種と、園芸品種シクラメンとの種間交雑種の作出につき鋭意研究したところ、シクラメン・コウム（Ｃｙｃｌａｍｅｎ  ｃｏｕｍ）原種またはシクラメン・ヘデリフォリウム（Ｃｙｃｌａｍｅｎ  ｈｅｄｅｒｉｆｏｌｉｕｍ）原種と、シクラメン・パーシカム（Ｃｙｃｌａｍｅｎ  ｐｅｒｓｉｃｕｍ）園芸品種との種間交雑種を取得し、これらをさらに交配して、実生植物を多数、長期間栽培し、その中から選抜淘汰することにより、シクラメンの新品種が得られることを見出し、これらに基づいてさらに研究した結果、本発明を完成した。
【００１１】
すなわち、本発明は、（１）シクラメン・コウム（Ｃｙｃｌａｍｅｎ  ｃｏｕｍ）原種と、シクラメン・パーシカム（Ｃｙｃｌａｍｅｎ  ｐｅｒｓｉｃｕｍ）園芸品種との種間交雑種（Ａ）、およびシクラメン・ヘデリフォリウム（Ｃｙｃｌａｍｅｎ  ｈｅｄｅｒｉｆｏｌｉｕｍ）原種と、シクラメン・パーシカム（Ｃｙｃｌａｍｅｎ  ｐｅｒｓｉｃｕｍ）園芸品種との種間交雑種（Ｂ）をそれぞれ取得し、当該種間交雑種（Ａ）と（Ｂ）とを交配して得られた複数の個体をさらに交配して得られた個体の中から花弁の特性が安定したものを選抜して得られるシクラメン新品種であって、花弁の特性は、肉厚の硬い花弁の表面に複数の突起を有し、すべての花弁が反転することなく反り返っていることを特徴とするシクラメンの新品種、
（２）受領番号がＦＥＲＭ  ＡＰ−２２３６２であるシクラメンの新品種、および
（３）上記（１）または（２）に記載のシクラメン品種の個体および（１）または（２）記載のシクラメン品種の個体の後代個体からなる群より選択される２個体を交配して得られる後代個体、を提供するものである。
（４）上記（１）〜（３）のいずれかに記載のシクラメンと、他のシクラメン品種とを交配することを特徴とするシクラメンの育種方法。
（５）上記（１）〜（３）のいずれかに記載のシクラメン、または該シクラメンと他のシクラメン品種と交配することにより得られるシクラメンの細胞、器官、組織、植物体、種子又は花粉細胞、を提供するものである。
【発明の効果】
【００１２】
本発明によれば、肉厚の硬い花弁の表面に複数の突起を有し、すべての花弁が反転することなく反り返っているという新規な花弁の特性を有するシクラメンの新品種を提供することができる。
【図面の簡単な説明】
【００１３】
【図１】図１は、本新品種にかかるシクラメンの鉢花全体の形態を示したものである。
【図２】図２は、本新品種にかかるシクラメンの花弁が反転せずに反り返っているようすを示したものである。
【図３】図３は、本新品種にかかるシクラメンの５枚の花弁を正面から示したものである。
【図４】図４は、本新品種にかかるシクラメンの葉身を示したものである。
【発明を実施するための形態】
【００１４】
本発明のシクラメンの新品種についてさらに詳しく説明する。交配親であるシクラメン・コウム（Ｃｙｃｌａｍｅｎ  ｃｏｕｍ）と、シクラメン・ヘデリフォリウム（Ｃｙｃｌａｍｅｎ  ｈｅｄｅｒｉｆｏｌｉｕｍ）とは原種シクラメンとして生産販売されている。本明細書において、「原種」、または「原種系」とは、品種改良されていない野生種、または野生種の形質を濃く残した園芸品種を意味する。シクラメン・コウムは、草丈５ｃｍ程度と小さく花びらが丸みを帯びた形をしている。冬から早春にかけて花が咲き、花色は白から濃いピンク、紫まであり、葉の模様にも個体差が大きく、多くの変種が栽培されている。シクラメン・ヘデリフォリウムも原種系のシクラメンで、高山帯の林下などに自生している。昔はネアポリナタム（Ｃｙｃｌａｍｅｎ  ｎｅａｐｏｌｉｎａｔｕｍ）と呼ばれていたが、現在はシクラメン・ヘデリフォリウムとなっている。秋咲きシクラメンと呼ばれることもあり、草丈は１０〜３０ｃｍくらい、開花時期は９月〜１１月である。葉にはうっすらと銀色の模様がはいり、淡いピンクの花が咲く。
【００１５】
一方、「園芸品種」、「園芸種」、または「栽培種」とは、原種のシクラメン・パーシカムから生まれた２倍体または４倍体の園芸品種群のことである。例えば、在来系、パステル系、Ｆ１系、ミニ系などが挙げられる。在来系の代表的なものは、赤の「バーバーク」、白の「ピュアホワイト」、フリンジで覆輪の「ビクトリア」などを挙げることができる。パステル系は「シューベルト」、「ベートーベン」など作曲家の名前のついた中大輪品種で、日本でも花弁に明紫色のハケ目が入る「あけぼの」が育種されている。花色が明るく丈夫なＦ１品種は、オペラシリーズの「ロザモンド」、「ソフトピンクウイズアイ」、日本では「京」シリーズなどが販売されている。原種の持つ可憐さや丈夫さを生かしたミニ系には、「ピッコロ」、「テーブルミニ」などがある。
【００１６】
本発明のシクラメン新品種は、原種系シクラメンまたは園芸品種シクラメンのいずれを花粉親又は種子親としてもよいが、種間交雑の困難性を改善する上で、園芸品種シクラメンを花粉親とすることが好ましい。温室内で開花させ、花が完全に開いたシクラメン・パーシカム園芸品種の雄しべの先端付近にある葯から花粉を取り出して花粉親とする。一方、種子親としては、シクラメン・コウム、およびシクラメン・ヘデリフォリウムの原種シクラメンを用いる。花びらは色づいているものの、まだ開花していない状態の原種シクラメンの花弁と雄しべを一緒に抜きとり、ガクの中央に残った細い雌しべの先端に、採取した園芸品種シクラメンの花粉を付けて交配する。交配後は、風などの影響で花粉が飛ばないように、小さな袋をかぶせておくことが好ましい。受粉が成功していれば、人工受粉後の２〜３週間ほどで、雌しべの付け根が膨らんでくるので、この状態になれば袋をはずす。種が熟すまで、おおよそ１００日程度かかるので、交配後、交配株を温室内（最低温度１８℃以上）で肥培管理し、果実の先端部分が飴色を帯び袋がはじける前に種を採取する。
【００１７】
このようにして得られた品種を増殖する方法については、種子を播種し、次いで移植することにより行われる。播種法については、採取した果実の果皮を切り取り、果皮やごみを取り除いて乾燥した種子を清潔な播種培土を使用して以下のように行う。特に播種専用の培土であれば問題ないが、システムソイル１０１（商品名）を使用することが好ましい。＃２８８プラグトレー、または箱（ガーデンパン）に培土を入れて以下の手順で播種を行う。
【００１８】
種子は５ミリから１０ミリくらいの深さの培土に水で湿らせてから播種する。播種後は種子が覆うようにバーミキュライトなどで覆土する。播種が完了したら下から十分に水が染み渡るまでしっかり潅水を行い、播種したプラグトレーや箱を黒いポリエチレンシートですっぽり覆うように被せて保管する。播種専用の発芽室での管理が望ましいが、播種後は絶対に光にあてないように注意する。本品種のシクラメンは発芽するための暗室条件が３０日〜４０日くらい必要である。３０日〜４０日くらいで発芽が４０％くらいになったところで暗室条件から出し、その後は、子葉の徒長を防ぐために少しずつ光を与えるようにする。例えば、遮光フィルムを使い、少しずつ紫外線に慣らしていく。播種後１００日くらいを目安に管理すると発芽率が８５％以上になる。
【００１９】
播種後、１００日くらいを目安に直径９〜１２ｃｍサイズのポット、もしくは鉢に定植（鉢上げ）をおこなう。定植する際には塊茎頂部が土に埋まらないように（塊茎の半分を上に出す）浅く植えることが望ましい。その後、株の成長に応じて適宜、大きめの鉢に植替えをすることで過湿を避け、培土の急激な乾燥を防いで生育を促進することができる。
【００２０】
発芽後成長したシクラメンは自家受粉が可能であり、種子を取得して後代個体を繁殖させることができる。また、花粉は稔性を有しており、この花粉を用いて他の個体、後代個体、または市販品種のシクラメンの花の雌しべに受粉させることができる。かかる交配により、肉厚の硬い花弁の表面に複数の突起を有し、すべての花弁が反転することなく反り返っているという花弁の特性が固定された新品種を選抜することができる。
【００２１】
このようにして育種（作出）された本発明の新品種ホソガネＬＡＳの特性（特徴）を、類似する対照品種であるペチコートダークバイオレットと比較して次の表１に示す。
【表１】
2019187253.tif 000003
【００２２】
また、本発明の１つの実施形態にかかるシクラメンの新品種の外観を図１〜３に示す。図１は、本新品種の鉢花全体の形態を示したものである。図１に示すように、本新品種は、株の大きさ、葉や花の大きさによる草姿は小型である。図２を参照すると、花弁は反り返らずに下向きに咲く形状（非反転ロココ型）である。図３は、本新品種の５枚の花弁を正面から示したものであるが、花の型は一重で５枚の花弁を有する。花弁内側の中央からヒダ状の筋や突起が多数認められる。すなわち、肉厚の硬い花弁の表面に複数の突起を有し、すべての花弁が反転することなく反り返っている点で従来のシクラメン品種とは大きく異なる。図４は、本品種のシクラメンの葉の形状を示す。葉は硬く特徴的な形状をしており、葉身の模様は葉の内側が白くなる内斑である。
【００２３】
花弁が硬く肉厚のため花老けしにくいという特徴があり、これにより、花弁に病気がつきにくい特性を有する。実際、本発明者は育種過程において、本新品種が他の品種のシクラメンと比較すると灰色カビ病の発生が少なく、丈夫で花持ちが長い品種であることを見出している。一般的にシクラメンの花弁の寿命は、花持ちのよい品種でも１か月程度といわれているが、本新品種については１つの花弁の寿命が２〜３か月と非常に長いことが分かった。このような特性は、シクラメンの原種と園芸種との種間交雑により得られたことに起因すると思われ、葉が堅く肉厚で葉脈が特殊な形状をした原種の系統に近い強健の性質を有するものである。本明細書中において「花持ち」とは、「開花した花の維持」を意味し、よって、「花持ちが良い」とは、「開花始めから開花終わりまでの開花期間が相対的に長いこと」を意味する。花持ちに関する評価は、本発明にかかる新品種のシクラメンと他の品種のシクラメンとを同様の条件で栽培し、それぞれの開花から花枯れまでの期間を比較することにより行うことができる。この試験を野外の低温条件下で行えば、耐寒性についても評価することができる。花持ち試験の一例としては、切り花の日持ち試験があり、財団法人日本花普及センターなどにより、品質判定基準等が定められている。
【００２４】
なお、本発明の新品種の１つである「ホソガネＬＡＳ」は、独立行政法人製品評価技術基盤機構（千葉県木更津市かずさ鎌足２−５−８）に寄託されている（受領日：平成３０年３月２７日、受領番号：ＦＥＲＭ  ＡＰ−２２３６２、種子名「ホソガネＬＡＳ」）。
【００２５】
本発明の他の実施形態では、本発明に係るシクラメン新品種の個体と、他のシクラメン品種とを交配するシクラメンの育種方法を提供する。他のシクラメン品種とは、原種系であっても園芸品種系であってもいずれでもよい。本発明のシクラメン新品種は原種と園芸品種との種間交雑により得られたものであることから原種系および園芸品種系の両方と種間交雑が可能であると考えられる。これにより、矮性や大輪、耐病性等の有用形質を持つ品種と交配することにより、これらの有用形質を持ち、かつ本品種の花弁の特性を併せ持つ品種を育種、選抜することもできる。例えば、花色の異なる品種と交配することにより、肉厚の硬い花弁の表面に複数の突起を有し、すべての花弁が反転することなく反り返っているという花弁の特性を有し、かつ色変わりの品種を育種することもできる。したがって、本発明の範囲には、花弁の色が純白、ピンク、パープルホワイトなどのシクラメン新品種も含まれる。また、草姿の異なる品種と交配することによっても花弁の特性を有しながらかつ草姿の異なる品種を育成することもできる。
【００２６】
さらに他の実施形態では、本発明に係るシクラメン若しくはその後代個体の植物体、種子および花粉細胞、並びに本発明に係るシクラメンの個体と他のシクラメン品種と交配することにより得られるシクラメンの植物体、種子および花粉細胞なども提供される。これにより、本発明に係るシクラメンの細胞培養、器官培養、組織培養を行い、種子を保存、販売し、花粉による交配などが可能となる。また、増殖した個体への変異処理により、新規な花色や形態を有するシクラメンを育種することもできる。これにより、肉厚の硬い花弁の表面に複数の突起を有し、すべての花弁が反転することなく反り返っているという花弁の特性を保持したまま様々なバリエーションの個体を得、それを増殖することで有用な形質を持つ突然変異個体を得ることができる。ここで、変異処理とは、薬剤、例えばニトロソグアニジン、エチルメタンスルホン酸等の変異原性を有する薬剤による処理や、ガンマ線等の放射線による処理、重イオンビームによる処理等が含まれるがこれらに限定されない。
【００２７】
以下に実施例を挙げて本発明をさらに具体的に説明するが、本発明はこれらの実施例に限定されるものではない。
【実施例１】
【００２８】
昭和６２年１２月に本発明者の園芸用温室にて原種系シクラメン・コウムと当時、海外から入ってきた園芸品種のテーブルミニ系シクラメン・パーシカムとの種間交雑を行った（Ａ：原種系コウム（ｃｙｃｌａｍｅｎ  ｃｏｕｍ）×テーブルミニ系パーシカム（Ｃｙｃｌａｍｅｎ  ｐｅｒｓｉｃｕｍ））。また、同時期に原種系ネアポリアタム（Ｃｙｃｌａｍｅｎ  ｎｅａｐｏｌｉｔａｎｕｍ）現在ではヘデリフォリウム（Ｃｙｃｌａｍｅｎ  ｈｅｄｅｒｉｆｏｌｉｕｍ）と呼ばれているものとテーブルミニ系シクラメン・パーシカム（Ｃｙｃｌａｍｅｎ  ｐｅｒｓｉｃｕｍ）との種間交雑をおこなった（Ｂ：原種系ヘデリフォリウム（Ｃ．ｈｅｄｅｒｉｆｏｌｉｕｍ）×テーブルミニ系パーシカム（Ｃｙｃｌａｍｅｎ  ｐｅｒｓｉｃｕｍ））。
【００２９】
シクラメン原種と園芸品種との受粉に成功する確率は極めて低く、仮に受粉しても１つの雌しべから種子が取れる数量も少なく、また、得られた種子から発芽する割合も少ないが、本発明者が根気よく受粉を繰り返したところ奇跡的に受粉して発芽にも成功した。種間交雑種（Ａ）として発芽、成長した７株から開花した株は４株のみであった。また、種間交雑種（Ｂ）として発芽、成長した３０株から開花した株は１０株のみであった。
【００３０】
昭和６３年１１月に開花した奇形花の中から葉が堅く肉厚で花弁も肉厚で反転せずに反り返り、更に花弁の表面に多数の突起が確認できた株を発見した。その後、（Ａ）と（Ｂ）とをランダムに交配して得られた複数の個体をさらにミックス交配を行った。ミックス交配とは得られた複数の個体の花粉を何種類もブレンドして交配することをいう。このような交配を、何度も繰り返しおこない何世代もの種子を採取して保存した。また、何世代か前の種子を利用して戻し交配もおこない肉厚の硬い花弁の表面に複数の突起を有し、すべての花弁が反転することなく反り返っていることを特徴とする形状の花弁の特性が安定したものを選抜して自殖選抜により固定した。平成１３年１２月に一旦、選抜を終了して１０年間、種子を冷蔵保存していた。
【００３１】
その後、平成２４年１１月に再度、冷蔵保存していた種子の選抜を再開して以後、特性調査を行いながら５年間にわたり選抜を繰り返した。平成２８年１１月に開花した株の花弁の色、型などの特性が安定したことを確認して当該品種であるホソガネＬＡＳの育種を完了したものである。この新品種については本願出願人に連絡すれば分譲可能であり、平成３０年１月１５日付にて以下の通り品種登録出願済みである（品種登録出願番号は、第３２７７６号（ホソガネＬＡＳパープルホワイト）；第３２７７７号（ホソガネＬＡＳピンク）；第３２７７８号（ホソガネＬＡＳホワイト））。
【産業上の利用可能性】
【００３２】
本発明のシクラメン新品種は、葉が堅く肉厚で葉脈が特殊な形状をした原種の系統に近い強健性、および花弁が硬く肉厚で花老けしにくく、これにより花弁に病気が付きにくいという特徴を有しており、しかも丈夫で寒さに強く花持ちが長い品種であるため花卉園芸における栽培品種として有用である。
【図１】
2019187253.tif 000004
【図２】
2019187253.tif 000005
【図３】
2019187253.tif 000006
【図４】
2019187253.tif 000007